(57)【要約】【課題】装着時の安定性を持たせながら、自然な音像定位を与え、かつ立体感のある高品質な再生音をリスナに聴取させるようにする。【解決手段】リスナの頭部１００の所定位置に装着される中高音用電気音響変換部２Ｌと、中高音用電気音響変換部２Ｌの一面に取り付けられ、中高音用電気音響変換部２Ｌがリスナの頭部１００に装着された際、リスナの外耳道入口１０２Ｌとの間に所定距離が設けられるように配置された中高音用スピーカユニット７Ｌと、中高音用電気音響変換部２Ｌを頭部１００に装着させるためのバンド部４と、バンド部４を介してリスナの頭部１００に装着される低音用電気音響変換部３Ｌと、低音用電気音響変換部３Ｌに対して設けられる低音用スピーカユニット８Ｌとを設けるようにする。【選択図】図１
2008141691.tif 000002
【特許請求の範囲】
【請求項１】
リスナの頭部の所定位置に装着される第１筐体部と、
上記第１筐体部の一面に取り付けられ、上記第１筐体部が上記リスナの頭部に装着された際、上記リスナの外耳道入口との間に所定距離が設けられるように配置された中高音用スピーカユニットと、
上記第１筐体部を上記頭部に装着させるための装着部と、
上記装着部を介して上記リスナの頭部に装着される第２筐体部と、
上記第２筐体部に対して設けられる低音用スピーカユニットと
を具えることを特徴とするイヤースピーカ装置。
【請求項２】
上記第２筐体部は、上記低音用スピーカユニットによって生じさせた低音を上記外耳道入口の近傍まで到達させるよう延長された管状ダクトを有する
ことを特徴とする請求項１に記載のイヤースピーカ装置。
【請求項３】
上記第２筐体部は、上記装着部を介して上記リスナの耳介の前側上方に配置される
ことを特徴とする請求項１に記載のイヤースピーカ装置。
【請求項４】
上記第２筐体部は、上記装着部を介して上記リスナの頭部頂上近傍に配置される
ことを特徴とする請求項１に記載のイヤースピーカ装置。
【請求項５】
上記管状ダクトは、
上記筐体部から上記外耳道入口の近傍まで延長されると共に上記第２筐体部へ再度戻る略Ｕ字状に形成され、上記外耳道入口の近傍に放音用の孔部が設けられた
ことを特徴とする請求項２に記載のイヤースピーカ装置。
【請求項６】
上記管状ダクトは、
上記外耳道入口の近傍に位置する端部が上記リスナの外耳道内部へ入り込むことを防止するための保護部が設けられた
ことを特徴とする請求項２に記載のイヤースピーカ装置。
【請求項７】
上記第１筐体部は、
上記装着部を介して上記リスナの頭部に装着された際、上記中高音用スピーカユニットの放音面をおおよそ上記リスナの外耳道入口の方向へ向けさせる
ことを特徴とする請求項１に記載のイヤースピーカ装置。
【請求項８】
上記管状ダクトの上記孔部は、上記外耳道入口に対して逆方向に向けられている
ことを特徴とする請求項４に記載のイヤースピーカ装置。
【発明の詳細な説明】
【技術分野】
【０００１】
本発明はイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表すオーディオ信号を音（以下、これを再生音と呼ぶ）に変換し、これを当該リスナに聴取させるようになされたものが広く普及している。
【０００３】
一般的なヘッドホン装置では、再生音を発生させるスピーカユニットがリスナの外耳道入口の正面付近に位置するようになされており、当該スピーカユニットから鼓膜に対して直接的に音を到達させることにより音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側へ位置させることにより、一般的な据置型のスピーカを用いた場合のように音像を頭外に定位させることにより不自然感を払拭させると共に、リスナの耳の周囲に密閉空間を形成した密閉型とすることにより充分な低音を聴取させ得るよう考慮されたものが考案されている（例えば、特許文献１参照）。
【特許文献１】特許第３０５４２９５号明細書（第３頁、第１図）
【発明の開示】
【発明が解決しようとする課題】
【０００５】
ところで、かかる構成のヘッドホン装置においては、左右に１個ずつ設けられたスピーカユニットから再生音を出力するだけの構造であるため、立体感のある音場を生成することが難しく、またスピーカユニットが耳介から離隔されているため、装着時の安定性が悪く、使い勝手が悪いという問題があった。
【０００６】
本発明は以上の点を考慮してなされたもので、装着時の安定性を持たせながら、自然な音像定位を与え、かつ立体感のある高品質な再生音をリスナに聴取させ得るイヤースピーカ装置を提案しようとするものである。
【課題を解決するための手段】
【０００７】
かかる課題を解決するため本発明においては、リスナの頭部の所定位置に装着される第１筐体部と、第１筐体部の一面に取り付けられ、第１筐体部がリスナの頭部に装着された際、リスナの外耳道入口との間に所定距離が設けられるように配置された中高音用スピーカユニットと、第１筐体部を頭部に装着させるための装着部と、装着部を介してリスナの頭部に装着される第２筐体部と、第２筐体部に対して設けられる低音用スピーカユニットとを設けるようにした。
【０００８】
これにより、リスナの外耳道入口との間に所定距離だけ離された中高音用スピーカユニットを有する第１筐体部と、低音用スピーカユニットを有する第２筐体部とが装着部を介してリスナの頭部に配置されるため、音像が頭内に定位することなく自然な音像定位を与えることが出来ると共に、２つに分けられた中高音用スピーカユニット及び低音用スピーカユニットにより装着時の重量配分によるバランスを向上しつつ立体感のある高品質な再生音を出力することができる。
【発明の効果】
【０００９】
本発明によれば、リスナの外耳道入口との間に所定距離だけ離された中高音用スピーカユニットを有する第１筐体部と、低音用スピーカユニットを有する第２筐体部とが装着部を介してリスナの頭部に配置されるため、音像が頭内に定位することなく自然な音像定位を与え得ると共に、２つに分けられた中高音用スピーカユニット及び低音用スピーカユニットにより装着時の重量配分によるバランスを向上しつつ立体感のある高品質な再生音を出力し得るイヤースピーカ装置を実現することができる。
【発明を実施するための最良の形態】
【００１０】
以下、図面について、本発明の一実施の形態を、第１の実施の形態及び第２の実施の形態とに分けて詳述する。
【００１１】
（１）第１の実施の形態
（１−１）第１の実施の形態におけるイヤースピーカ装置の構成
図１において、１は全体として第１の実施の形態におけるイヤースピーカ装置を示し、ポータブルＣＤ（Compact Disc）プレーヤやＤＭＰ（Digital Music Player）の再生処理等により生成されたオーディオ信号を再生音に変換し、これをリスナに聴取させるようになされている。
【００１２】
因みに、イヤースピーカ装置１（図１）ではリスナの左側面から見える部位だけが表示されており、リスナの右側面から見える部位については表示されていないが、双方共に同一の左右対称構造である。
【００１３】
このイヤースピーカ装置１は、一般的な箱形のスピーカ装置とは異なり、ヘッドホン装置と同様にリスナの頭部１００に装着されることを前提としており、オーディオ信号を再生音に変換し、その再生音のうち主に中高音を出力する中高音用電気音響変換部２Ｌと、再生音のうち主に低音を出力する低音用電気音響変換部３Ｌと、その中高音用電気音響変換部２Ｌ及び低音用電気音響変換部３Ｌをリスナの頭部に装着して固定させるためのバンド部４とにより構成されている。
【００１４】
すなわちイヤースピーカ装置１は、バンド部４を介してリスナの左側に中高音用電気音響変換部２Ｌ及び低音用電気音響変換部３Ｌを配置し、バンド部４を介してリスナの右側に中高音用電気音響変換部２Ｒ（図示せず）及び低音用電気音響変換部３Ｒ（図示せず）を配置することになるため、左右で２．２ｃｈのヘッドホンを構成するようになされている。
【００１５】
バンド部４は、中央部４Ａを中心に一般的な人間の頭部１００の形状に合わせて上に凸の略アーチ型に形成されていると共に、当該中央部４Ａに対して伸縮自在に摺動し得るアジャスト部４ＢＬによりバンド部４全体の長さを調整し得るようになされている。
【００１６】
このバンド部４には、アジャスト部４ＢＬの途中から延設された略Ｌ字状でなるアーム４Ｃの先端に中高音用電気音響変換部２Ｌが取り付けられていると共に、アジャスト部４ＢＬの先端に低音用電気音響変換部３Ｌが取り付けられている。
【００１７】
またバンド部４は、一般的な人間の頭部１００の形状よりも小さい径のアーチ型に形成されていると共に弾性力を有しており、低音用電気音響変換部３Ｌを広げながらリスナの頭部１００に装着されると、バンド部４の弾性力の作用によって元の形状に戻ろうとするため、中高音用電気音響変換部２Ｌ及び低音用電気音響変換部３Ｌを当該リスナの頭部１００に対して当接させた状態で保持させるようになされている。
【００１８】
その結果、イヤースピーカ装置１では、中高音用電気音響変換部２Ｌをリスナの耳介１０１Ｌから前方へ所定距離だけ離れた場所に位置させると共に、低音用電気音響変換部３Ｌをリスナの耳介１０１Ｌの前側上方に位置させるようになされている。
【００１９】
中高音用電気音響変換部２Ｌは、球体が垂直方向に２等分されたような形状の中高音用筐体部５Ｌでなり、その中高音用筐体部５Ｌの平面部分であるバッフル板２ＡＬには、オーディオ信号を再生音に変換する中高音用スピーカユニット７Ｌが後方のリスナの外耳道入口１０２Ｌへ向けて取り付けられている。
【００２０】
この中高音用スピーカユニット７Ｌは、ポータブルＣＤプレーヤやＤＭＰ等から接続ケーブル（図示せず）を介して供給されるオーディオ信号に応じて、振動板を振動させることにより放音するようになされている。
【００２１】
これによりイヤースピーカ装置１の中高音用電気音響変換部２Ｌは、中高音用スピーカユニット７Ｌから放射された中高音をリスナの外耳道入口１０２Ｌへ直接到達させると共に、当該リスナの頬や耳介１０１Ｌ等で反射された反射音も外耳道入口１０２Ｌへ到達させることができるため、一般的な据置型スピーカを介して聴取した場合と同様の、自然なでかつ立体的な音像定位を与え得るようになされている。
【００２２】
低音用電気音響変換部３Ｌは、全体がほぼ球形状でなる低音用筐体部６Ｌでなり、その低音用筐体部６Ｌの内側に低音用スピーカユニット８Ｌが設けられている。低音用筐体部６Ｌは、低音用スピーカユニット８Ｌを境に、上方に位置する半球状部１１Ｌと、下方に位置するカバー部１２Ｌとに分けられており、半球状部１１Ｌのバッフル板１３Ｌに対して、オーディオ信号を再生音に変換する低音用スピーカユニット８Ｌが取り付けられている。
【００２３】
この低音用スピーカユニット８Ｌは、ポータブルＣＤプレーヤやＤＭＰ等から接続ケーブル（図示せず）を介して供給されるオーディオ信号に応じて、振動板を振動させることにより主に低音を放音するようになされている。
【００２４】
カバー部１２Ｌは、半球状部１１Ｌに対して取り付けられ、内側に空間を有する半球形状でなり、低音用スピーカユニット８Ｌの前方空間を覆い隠すようになされている。またカバー部１２Ｌは、その表面の端部に対して、金属製でなり、所定太さを有する中空の部材を側面略Ｕ字状に屈曲させた管状ダクト９Ｌが貫通した状態で取り付けられている。
【００２５】
この管状ダクト９Ｌは、その先端のＵ字状部分がリスナの外耳道入口１０２Ｌへ向かって折り曲げられており、さらにＵ字状部分のほぼ中央に孔部９ＡＬが設けられている。
【００２６】
従ってイヤースピーカ装置１では、リスナに対して正常に装着された際、低音用電気音響変換部３Ｌの低音用スピーカユニット８Ｌが外耳道入口１０２Ｌのやや前側上方に位置し、管状ダクト９Ｌの孔部９ＡＬが外耳道入口１０２Ｌの極めて近傍に位置するようになされている。
【００２７】
なお管状ダクト９Ｌでは、孔部９ＡＬが外耳道入口１０２Ｌとは逆向きに形成されているが、孔部９ＡＬから放射される低音については指向性を持たないため、その低音がリスナの外耳道入口１０２Ｌに対して確実に到達し得る一方、孔部９ＡＬから僅かに放射される中高音については、その孔部９ＡＬが外耳道入口に対して逆方向を向き、かつ中高音が指向性を有しているため、リスナの外耳道入口１０２Ｌに殆ど到達することがない。
【００２８】
従ってイヤースピーカ装置１では、再生音声の中高音を中高音用スピーカユニット７Ｌから出力してリスナの外耳道入口１０２Ｌへ到達させると共に、管状ダクト９Ｌの孔部９ＡＬから再生音声の低音だけをリスナの外耳道入口１０２Ｌに到達させる一方、孔部９ＡＬから僅かに漏れる中高音についてはリスナの外耳道入口１０２Ｌとは逆方向に向いた当該孔部９ＡＬから指向性を持った状態で出力されるので、その漏れた中高音がリスナの外耳道入口１０２Ｌに到達することがなく、主として中高音が作用するリスナの音像定位に対して悪影響を与えずに済むようになされている。
【００２９】
これによりイヤースピーカ装置１では、中高音用スピーカユニット７Ｌから出力される中高音により自然な音像定位を与えながら、管状ダクト９Ｌの孔部９ＡＬを介して充分なレベルの低音を当該リスナに聴取させ得るようになされている。
【００３０】
因みに、孔部９ＡＬの位置としては、この場所に限られるものではなく、リスナの外耳道入口に対して逆方向を向きさえすれば管状ダクト９Ｌ上の何れの場所であってもよい。
【００３１】
更に管状ダクト９Ｌは、その先端が略Ｕ字状に形成されているため、リスナの外耳道内へ入り込まないようになされている。これによりイヤースピーカ装置１は、当該リスナがイヤースピーカ装置１の装着時等に、管状ダクト９Ｌにより誤って当該外耳道内を傷つけてしまうことを未然に防止し得るようになされている。
【００３２】
ここで図２に示すように、低音用電気音響変換部３Ｌの低音用筐体部６Ｌは低音用スピーカユニット８Ｌが半球状部１１Ｌに取り付けられた状態で、管状ダクト９Ｌを除きカバー部１２Ｌによって密閉された空間を形成しており、低音用スピーカユニット８Ｌに対して低音用筐体部６Ｌ及び当該管状ダクト９Ｌにより共振回路を形成し、ケルトン型のスピーカとして動作するようになされている。
【００３３】
この低音用電気音響変換部３Ｌでは、リスナの耳介１０１を塞いでしまうことがないため、リスナの周囲で発生した音（以下これを周囲音と呼ぶ）を遮断することなく当該リスナの鼓膜１０３Ｌまで到達させて聴取させ得ると共に、管状ダクト９Ｌの孔部９ＡＬから再生音の低音を外耳道入口１０２Ｌへ直接到達させて、十分なレベルの低音をリスナに聴取させ得るようになされている。
【００３４】
因みに管状ダクト９Ｌは、内径が例えば１．８［ｍｍ］、バッフル板４ＡＬの表面から管状ダクト９Ｌの孔部８ＡＬまでの距離が例えば約３５［ｍｍ］とされているが、これに限るものではない。
【００３５】
ここで管状ダクト９Ｌは、その側面が略Ｕ字状に形成され、Ｕ字状部分の中央に孔部９ＡＬが設けられているため、実質的に上半分及び下半分による２本のダクトを構成しているのと同じであり、当該管状ダクト９Ｌを１本の管状ダクトに換算した場合の内径（この場合は約２．５［ｍｍ］に相当する）が考慮された上で、その内径及び有効長が決定されている。
【００３６】
すなわち管状ダクト９Ｌは、側面Ｕ字状に形成されたことにより、１本の管状ダクトとした場合に比べてその有効長を短く設定し得ると共に、デザイン性及び安全性を大きく向上させ得るようになされている。
【００３７】
このようにイヤースピーカ装置１では、リスナの頭部１００に装着された際、中高音用電気音響変換部２Ｌの中高音用スピーカユニット７Ｌをリスナの外耳道入口１０２Ｌからやや離れた場所に位置させ、その中高音用スピーカユニット７Ｌから再生音の中高音を放射すると共に、低音用電気音響変換部３Ｌのカバー部１２Ｌから当該外耳道入口１０２Ｌの近傍まで延長された管状ダクト９Ｌの孔部９ＡＬから再生音の低音を放射することにより、自然な音像定位を与えながら充分なレベルの低音を含む良好な再生音を当該リスナに聴取させ得るようになされている。
【００３８】
（１−２）第１の実施の形態における他のイヤースピーカ装置の構成例
ところで、第１の実施の形態におけるイヤースピーカ装置１は、図１及び図２に示したように、装着部としてのバンド部４により中高音用電気音響変換部２Ｌ及び低音用電気音響変換部３Ｌをリスナの頭部１００に装着するようになされているが、このバンド部４に代えて他の種々の装着部を用いることにより中高音用電気音響変換部２Ｌ及び低音用電気音響変換部３Ｌをリスナの頭部１００に装着するようにしても良い。
【００３９】
なお、以下では、上述したイヤースピーカ装置１の場合と同様、主に左側の中高音用電気音響変換部２Ｌ及び低音用電気音響変換部３Ｌを例に説明する。
【００４０】
例えば図３に示すイヤースピーカ装置２０は、所謂アンダーチン型として構成されており、イヤースピーカ装置１（図１及び図２）におけるバンド部４に代えて、低音用電気音響変換部３Ｌを保持すると共にリスナの耳介１０１Ｌに引っ掛けるためのバンド部２４が用いられている。
【００４１】
このバンド部２４は、下に凸の略アーチ状に形成され、リスナの顎の下を通って左右に渡されることを前提としており、バンド部２４の途中から延設された略Ｌ字状でなるアーム２４Ｃの先端に中高音用電気音響変換部２Ｌが取り付けられた構成を有している。
【００４２】
このイヤースピーカ装置２０（図３）は、バンド部２４の耳掛部２４ＢＬがリスナの耳介１０１Ｌに引っ掛けられることにより中高音用電気音響変換部２Ｌ及び低音用電気音響変換部３Ｌをリスナの頭部１００に装着することができ、イヤースピーカ装置１と同様、自然な音像定位を与えながら充分なレベルの低音を含む良好な再生音を当該リスナに聴取させ得るようになされている。
【００４３】
さらに図４に示すイヤースピーカ装置３０は、所謂ショルダーホールド型として構成されており、イヤースピーカ装置１（図１及び図２）におけるバンド部４に代えて、中高音用電気音響変換部２Ｌ及び低音用電気音響変換部３Ｌを保持すると共にリスナの肩部から支持するショルダーアーム３４が用いられている。
【００４４】
このショルダーアーム３４は、その先端に低音用電気音響変換部３Ｌが取り付けられており、リスナの肩口から垂設された棒状の保持部３４Ｌの途中から延設されている略Ｌ字状でなるアーム３４Ｃの先端に中高音用電気音響変換部２Ｌが取り付けられた構成を有している。また、このショルダーアーム３４の中央部３４Ａは、後ろに凸の略アーチ状に形成され、リスナの首の後ろから肩の上部に引っ掛けて左右に渡されることを前提としている。
【００４５】
このイヤースピーカ装置３０（図４）は、リスナの両肩に渡って引っ掛けられることにより中高音用電気音響変換部２Ｌ及び低音用電気音響変換部３Ｌをリスナの頭部１００に装着することができ、イヤースピーカ装置１と同様、自然な音像定位を与えながら充分なレベルの低音を含む良好な再生音を当該リスナに聴取させ得るようになされている。
【００４６】
さらに図５に示すイヤースピーカ装置４０は、所謂ネックバンド型として構成されており、イヤースピーカ装置１（図１及び図２）におけるバンド部４に代えて、中高音用電気音響変換部２Ｌ及び低音用電気音響変換部３Ｌを保持すると共にリスナの耳介１０１Ｌに掛けるためのバンド部４４が用いられている。
【００４７】
このバンド部４４の中央部４４Ａは、後ろに凸の略アーチ状に形成され、リスナの後頭部１００の後ろ側で渡されることを前提としており、バンド部４４の先端に低音用電気音響変換部３Ｌが取り付けられていると共に、バンド部４４の途中から延設された略Ｌ字状でなるアーム４４Ｃの先端に中高音用電気音響変換部２Ｌが取り付けられた構成を有している。
【００４８】
このイヤースピーカ装置４０（図５）は、バンド部４４の耳掛部４４ＢＬがリスナの耳介１０１Ｌに引っ掛けられることにより中高音用電気音響変換部２Ｌ及び低音用電気音響変換部３Ｌをリスナの頭部１００に装着することができ、イヤースピーカ装置１と同様、自然な音像定位を与えながら充分なレベルの低音を含む良好な再生音を当該リスナに聴取させ得るようになされている。
【００４９】
このように本発明では、イヤースピーカ装置１のバンド部４（図１及び図２）以外にも、イヤースピーカ装置２０〜４０（図３〜図５）のような種々の方式でなる装着部により、中高音用電気音響変換部２Ｌ及び低音用電気音響変換部３Ｌをリスナの頭部１００に対して装着させるようにしても良い。
【００５０】
（１−３）第１の実施の形態における動作及び効果
以上の構成において、イヤースピーカ装置１（図１及び図２）は、リスナの頭部１００に装着されることにより、中高音用電気音響変換部２Ｌの中高音用筐体部５Ｌに設けられた中高音用スピーカユニット７Ｌを当該リスナの外耳道入口１０２Ｌから所定距離だけ離れた場所に位置させると共に、当該リスナの外耳道入口１０２Ｌのやや前側上方に位置した低音用電気音響変換部３Ｌの管状ダクト９Ｌの孔部９ＡＬを外耳道入口１０２Ｌの近傍に位置させた状態で、所定のアンプから供給されるオーディオ信号に基づいた再生音を出力する。
【００５１】
これによりイヤースピーカ装置１では、リスナの外耳道入口１０２Ｌよりも前方にある中高音用筐体部５Ｌの中高音用スピーカユニット７Ｌから出力する中高音をリスナの頬や耳介１０１Ｌ等で反射させて鼓膜１０３Ｌに到達させることができるので、一般的なスピーカを介して再生音を聴取する場合と似た特性の中高音を当該リスナに聴取させ、音像が頭外に位置しているような自然な定位感を与えることができる。
【００５２】
一方、イヤースピーカ装置１では、低音用筐体部６Ｌの低音用スピーカユニット８Ｌから出力する低音を、管状ダクト９Ｌを介して外耳道入口１０２Ｌへ直接到達させることができるので、リスナの耳介１０１Ｌを密閉してしまうことなく開放状態のまま、充分なレベルの低音を聴取させることができる。
【００５３】
またイヤースピーカ装置１は、低音の再生音量を上げるのではなく、低音の放射口である管状ダクト９Ｌの孔部９ＡＬを外耳道入口１０２Ｌに近づけることにより、リスナの鼓膜１０３Ｌ（図２）に充分な低音を到達させているため、例えば大口径のスピーカやサブウーファー等を用いて低音を再生するような場合と比較して、周囲に漏れる低音や振動をほぼ皆無にすることができる。
【００５４】
従って、例えばリスナが深夜にイヤースピーカ装置１を介して再生音を聴取する場合等に、近隣や周囲への迷惑を殆ど気にすることなく、充分なレベルの低音が含まれる良好な再生音を堪能することができる。
【００５５】
また、この管状ダクト９Ｌは、先端がＵ字状に形成されており、リスナの外耳道入口１０２Ｌを塞いでしまうことがないため、再生音と共に、当該リスナの周囲で発生した周囲音を遮断することなく鼓膜１０３Ｌに到達させて聴取させることができる。
【００５６】
これによりイヤースピーカ装置１では、リスナが歩行するときやスポーツを行うときなど、リスナが周囲音を聴取する必要がある場合にも、良好な再生音に加えて周囲音を確実に聴取させることができる。
【００５７】
またイヤースピーカ装置１は、従来の密閉型ヘッドホンのように、リスナの耳介１０１Ｌ等を中高音用電気音響変換部２Ｌの中高音用筐体部５Ｌによって覆ってしまうことがないため、密閉型ヘッドホンを装着したリスナが感じるような閉塞感や蒸れといった不快感を与えることがない。さらにイヤースピーカ装置１では、密閉空間を形成しないため、密閉型ヘッドホンを使用した場合に生じ得る、外耳道における共振周波数の変化を生じることもなく、リスナに違和感を与えることもない。
【００５８】
そのうえイヤースピーカ装置１は、低音の放射口である管状ダクト９Ｌの孔部９ＡＬを鼓膜１０３Ｌに近づけることによりリスナに十分な音量レベルの低音を聴取させ得るため、低音用スピーカユニット８Ｌの口径を不必要に大きくする必要が無く、低音用筐体部６Ｌの大きさを必要最小限に止めることができる。これによりイヤースピーカ装置１では、全体の大きさや重量を必要最小限に抑えることができるので、リスナがイヤースピーカ装置１を装着した際の大きさや重さによる煩わしさを極力抑えることができる。
【００５９】
さらにイヤースピーカ装置１は、頭部１００の頂上近傍にバンド部４の中央部４Ａを配置し、中高音用電気音響変換部２Ｌ及び低音用電気音響変換部３Ｌを分けた位置に配置したことにより、中高音用電気音響変換部２Ｌ及び低音用電気音響変換部３Ｌによる重量バランスを釣り合わせることができ、かくして頭部１００の装着時における安定性を向上させると共に、装着感を向上させることが出来る。
【００６０】
以上の構成によれば、イヤースピーカ装置１は、リスナの頭部１００に装着された際、中高音用電気音響変換部２Ｌの中高音用スピーカユニット７Ｌを当該リスナの外耳道入口１０２Ｌよりもやや前方の所定距離だけ離れた場所に位置させると共に、低音用電気音響変換部３Ｌの管状ダクト９Ｌの孔部９ＡＬを外耳道入口１０２Ｌの近傍に位置させた状態で再生音を出力することにより、装着時の安定性を持たせながら、自然でかつ立体的な音像定位を与え、かつ高品質な再生音をリスナに聴取させることができる。
【００６１】
（２）第２の実施の形態
（２−１）第２の実施の形態におけるイヤースピーカ装置の構成
図１との対応部分に同一符号を付した図６において、２００は全体として第２の実施の形態におけるイヤースピーカ装置を示し、ポータブルＣＤプレーヤやＤＭＰの再生処理等により生成されたオーディオ信号を再生音に変換し、これをリスナに聴取させるようになされている。
【００６２】
因みに、この場合のイヤースピーカ装置２００（図６）においても、リスナの左側面から見える部位だけが表示されており、リスナの右側面から見える部位については表示されていないが、双方共に同一の左右対称構造である。
【００６３】
このイヤースピーカ装置２００は、一般的な箱形のスピーカ装置とは異なり、ヘッドホン装置と同様にリスナの頭部１００に装着されることを前提としており、オーディオ信号を再生音に変換し、その再生音のうち主に中高音を出力する中高音用電気音響変換部２Ｌ及び後方中高音用電気音響変換部５０Ｌと、再生音のうち主に低音を出力する低音用電気音響変換部３Ｌと、その中高音用電気音響変換部２Ｌ、後方中高音用電気音響変換部５０Ｌ及び低音用電気音響変換部３Ｌをリスナの頭部に装着して固定させるためのバンド部２０４とにより構成されている。
【００６４】
すなわちイヤースピーカ装置２００は、バンド部２０４を介してリスナの左側に中高音用電気音響変換部２Ｌ、後方中高音用電気音響変換部５０Ｌ及び低音用電気音響変換部３Ｌを配置し、バンド部４を介してリスナの右側に中高音用電気音響変換部２Ｒ（図示せず）、後方中高音用電気音響変換部５０Ｒ（図示せず）及び低音用電気音響変換部３Ｒ（図示せず）を配置することになるため、左右で４．２ｃｈのヘッドホンを構成するようになされている。
【００６５】
バンド部２０４は、中央部４Ａを中心に一般的な人間の頭部１００の形状に合わせて上に凸の略アーチ型に形成されていると共に、当該中央部４Ａに対して伸縮自在に摺動し得るアジャスト部４ＢＬによりバンド部２０４全体の長さを調整し得るようになされている。
【００６６】
このバンド部２０４は、アジャスト部４ＢＬの途中から前方に延設された略Ｌ字状でなるアーム４Ｃの先端に中高音用電気音響変換部２Ｌが取り付けられ、かつアジャスト部４ＢＬの途中から後方に延設された略Ｌ字状でなるアーム２０４Ｄの先端に後方中高音用電気音響変換部５０Ｌが取り付けられると共に、アジャスト部４ＢＬの先端に低音用電気音響変換部３Ｌが取り付けられた構成を有している。
【００６７】
またバンド部２０４は、一般的な人間の頭部１００の形状よりも小さい径のアーチ型に形成されていると共に弾性力を有しており、低音用電気音響変換部３Ｌを広げながらリスナの頭部１００に装着されると、バンド部４の弾性力の作用によって元の形状に戻ろうとするため、中高音用電気音響変換部２Ｌ、後方中高音用電気音響変換部５０Ｌ及び低音用電気音響変換部３Ｌを当該リスナの頭部１００に対して当接させた状態で保持させるようになされている。
【００６８】
その結果、イヤースピーカ装置２００では、中高音用電気音響変換部２Ｌをリスナの耳から前方へ所定距離だけ離れた場所に位置させると共に、後方中高音用電気音響変換部５０Ｌをリスナの耳から後方へ所定距離だけ離れた場所に位置させ、更に低音用電気音響変換部３Ｌをリスナの耳介１０１Ｌのやや前側上方に位置させるようになされている。
【００６９】
中高音用電気音響変換部２Ｌは、球体が垂直方向に２等分されたような形状の中高音用筐体部５Ｌでなり、その中高音用筐体部５Ｌの平面部分であるバッフル板２ＡＬには、オーディオ信号を再生音に変換する中高音用スピーカユニット７Ｌが後方の外耳道入口１０２Ｌへ向けて取り付けられている。
【００７０】
この中高音用スピーカユニット７Ｌは、ポータブルＣＤプレーヤやＤＭＰ等から接続ケーブル（図示せず）を介して供給されるオーディオ信号に応じて、振動板を振動させることにより放音するようになされている。
【００７１】
また後方中高音用電気音響変換部５０Ｌは、中高音用電気音響変換部２Ｌと同様、球体が垂直方向に２等分されたような形状の後方中高音用筐体部５１Ｌでなり、その後方中高音用筐体部５１Ｌの平面部分であるバッフル板５０ＡＬには、オーディオ信号を再生音に変換する後方中高音用スピーカユニット５３Ｌが前方の耳介１０１Ｌへ向かって取り付けられている。
【００７２】
この後方中高音用スピーカユニット５３Ｌは、ポータブルＣＤプレーヤやＤＭＰ等から接続ケーブル（図示せず）を介して供給されるオーディオ信号に応じて、振動板を振動させることにより放音するようになされている。
【００７３】
これによりイヤースピーカ装置２００の中高音用電気音響変換部２Ｌ及び後方中高音用電気音響変換部５０Ｌは、中高音用スピーカユニット７Ｌ及び後方中高音用スピーカユニット５３Ｌからそれぞれ放射された中高音をリスナの外耳道入口１０２Ｌへ直接到達させると共に、当該リスナの頬や耳介１０１Ｌ等で反射された反射音も外耳道入口１０２Ｌへ到達させることができるため、一般的な据置型スピーカを介して聴取した場合と同様の、自然でかつ一層立体的な音像定位を与え得るようになされている。
【００７４】
一方、低音用電気音響変換部３Ｌは、全体がほぼ球形状でなる低音用筐体部６Ｌでなり、その低音用筐体部６Ｌの内側に低音用スピーカユニット８Ｌが設けられている。低音用筐体部６Ｌは、低音用スピーカユニット８Ｌを境に、上方に位置する半球状部１１Ｌと、下方に位置するカバー部１２Ｌとに分けられており、半球状部１１Ｌのバッフル板１３Ｌに対して、オーディオ信号を再生音に変換する低音用スピーカユニット８Ｌが取り付けられている。
【００７５】
この低音用スピーカユニット８Ｌは、ポータブルＣＤプレーヤやＤＭＰ等から接続ケーブル（図示せず）を介して供給されるオーディオ信号に応じて、振動板を振動させることにより主に低音を放音するようになされている。
【００７６】
カバー部１２Ｌは、半球状部１１Ｌに対して取り付けられ、その内側に空間を有する半球形状でなり、低音用スピーカユニット８Ｌの前方空間を覆い隠すようになされている。またカバー部１２Ｌは、金属製でなり、所定太さを有する中空の部材を側面略Ｕ字状に屈曲させた管状ダクト９Ｌが、当該カバー部１２Ｌの表面の端部に対し貫通した状態で取り付けられている。
【００７７】
この管状ダクト９Ｌは、その先端のＵ字状部分がリスナの外耳道入口１０２Ｌへ向かって折り曲げられており、さらにＵ字状部分のほぼ中央に孔部９ＡＬが設けられている。
【００７８】
従ってイヤースピーカ装置２００では、リスナに対して正常に装着された際、低音用電気音響変換部３Ｌの低音用スピーカユニット８Ｌが外耳道入口１０２Ｌのやや前側上方に位置し、管状ダクト９Ｌの孔部９ＡＬが外耳道入口１０２Ｌの極めて近傍に位置するようになされている。
【００７９】
なお管状ダクト９Ｌでは、孔部９ＡＬが外耳道入口１０２Ｌとは逆向きに形成されているが、孔部９ＡＬから放射される低音については指向性を持たないため、その低音がリスナの外耳道入口１０２Ｌに対して確実に到達し得る一方、孔部９ＡＬから僅かに放射される中高音については、その孔部９ＡＬが外耳道入口に対して逆方向を向き、かつ中高音が指向性を有しているため、リスナの外耳道入口１０２Ｌに殆ど到達することがない。
【００８０】
従ってイヤースピーカ装置２００では、再生音の中高音を中高音用スピーカユニット７Ｌ及び後方中高音用スピーカユニット５３Ｌから出力してリスナの外耳道入口１０２Ｌへ到達させると共に、管状ダクト９Ｌの孔部９ＡＬから再生音声の低音だけをリスナの外耳道入口１０２Ｌに到達させる一方、孔部９ＡＬから僅かに漏れる中高音についてはリスナの外耳道入口１０２Ｌとは逆方向に向いた当該孔部９ＡＬから指向性を持った状態で出力されるので、その漏れた中高音がリスナの外耳道入口１０２Ｌに到達することがなく、孔部９ＡＬから僅かに漏れる中高音がリスナの立体的な音像定位に対して悪影響を与えずに済むようになされている。
【００８１】
これによりイヤースピーカ装置２００では、中高音用スピーカユニット７Ｌ及び後方中高音用スピーカユニット５３Ｌから出力される中高音により自然な音像定位を与えながら、管状ダクト９Ｌの孔部９ＡＬを介して充分なレベルの低音を当該リスナに聴取させ得るようになされている。
【００８２】
因みに、孔部９ＡＬの位置としては、この場所に限られるものではなく、リスナの外耳道入口に対して逆方向を向きさえすれば管状ダクト９Ｌ上の何れの場所であってもよい。
【００８３】
なお管状ダクト９Ｌは、その先端が略Ｕ字状に形成されているため、リスナの外耳道内へ入り込まないようになされている。これによりイヤースピーカ装置２００は、当該リスナがイヤースピーカ装置２００の装着時等に、管状ダクト９Ｌにより誤って当該外耳道内を傷つけてしまうことを未然に防止し得るようになされている。
【００８４】
また低音用電気音響変換部３Ｌの低音用筐体部６Ｌは、低音用スピーカユニット８Ｌが半球状部１１Ｌに取り付けられた状態で、管状ダクト９Ｌを除きカバー部１２Ｌによって密閉された空間を形成しており、低音用スピーカユニット８Ｌに対して低音用筐体部６Ｌ及び当該管状ダクト９Ｌにより共振回路を形成し、ケルトン型のスピーカとして動作するようになされている。
【００８５】
この低音用電気音響変換部３Ｌでは、リスナの耳介１０１を塞いでしまうことがないため、リスナの周囲で発生した音（以下これを周囲音と呼ぶ）を遮断することなく当該リスナの鼓膜１０３Ｌまで到達させて聴取させ得ると共に、管状ダクト９Ｌの孔部９ＡＬから再生音の低音を外耳道入口１０２Ｌへ直接到達させて、十分なレベルの低音をリスナに聴取させ得るようになされている。
【００８６】
因みに管状ダクト９Ｌは、内径が例えば１．８［ｍｍ］、バッフル板４ＡＬの表面から管状ダクト９Ｌの孔部８ＡＬまでの距離が例えば約３５［ｍｍ］とされているが、これに限るものではない。
【００８７】
ここで管状ダクト９Ｌは、Ｕ字状部分の中央に孔部９ＡＬが設けられているため、実質的に上半分及び下半分による２本のダクトを構成しているのと同じであり、当該管状ダクト９Ｌを１本の管状ダクトに換算した場合の内径（この場合は約２．５［ｍｍ］に相当する）が考慮された上で、その内径及び有効長が決定されている。
【００８８】
すなわち管状ダクト９Ｌは、側面Ｕ字状に形成されたことにより、１本の管状ダクトとした場合に比べてその有効長を短く設定し得ると共に、デザイン性及び安全性を大きく向上させ得るようになされている。
【００８９】
このようにイヤースピーカ装置２００では、リスナの頭部１００に装着された際、中高音用電気音響変換部２Ｌの中高音用スピーカユニット７Ｌをリスナの外耳道入口１０２Ｌから前方のやや離れた場所に位置させ、その中高音用スピーカユニット７Ｌから再生音の中高音を放射すると共に、後方中高音用電気音響変換部５０Ｌの後方中高音用スピーカユニット５３Ｌをリスナの外耳道入口１０２Ｌから後方のやや離れた場所に位置させ、その後方中高音用スピーカユニット５３Ｌから再生音の中高音を放射し、低音用電気音響変換部３Ｌのカバー部１２Ｌから当該外耳道入口１０２Ｌの近傍まで延長された管状ダクト９Ｌの孔部９ＡＬから再生音の低音を放射することにより、自然でより一層立体的な音像定位を与えながら充分なレベルの低音を含む良好な再生音を当該リスナに聴取させ得るようになされている。
【００９０】
（２−２）第２の実施の形態における他のイヤースピーカ装置の構成例
ところで、第２の実施の形態におけるイヤースピーカ装置２００は、図６に示したように、装着部としてのバンド部２０４により中高音用電気音響変換部２Ｌ、後方中高音用電気音響変換部５０Ｌ及び低音用電気音響変換部３Ｌをリスナの頭部１００に装着するようになされているが、このバンド部２０４に代えて他の種々の装着部を用いることにより中高音用電気音響変換部２Ｌ、後方中高音用電気音響変換部５０Ｌ及び低音用電気音響変換部３Ｌをリスナの頭部１００に装着するようにしても良い。
【００９１】
なお、以下では、上述したイヤースピーカ装置２００の場合と同様、主に左側の中高音用電気音響変換部２Ｌ、後方中高音用電気音響変換部５０Ｌ及び低音用電気音響変換部３Ｌを例に説明するが、右側の中高音用電気音響変換部２Ｒ（図示せず）、後方中高音用電気音響変換部５０Ｒ（図示せず）及び低音用電気音響変換部３Ｒ（図示せず）についても、当該左側の中高音用電気音響変換部２Ｌ、後方中高音用電気音響変換部５０Ｌ及び低音用電気音響変換部３Ｌと左右対称に構成されているものとする。
【００９２】
例えば図３との対応部分に同一符号を付した図７に示すように、第２の実施の形態におけるイヤースピーカ装置２２０（図７）としては、所謂アンダーチン型として構成されており、イヤースピーカ装置２００（図６）におけるバンド部２０４に代えて、中高音用電気音響変換部２Ｌ、後方中高音用電気音響変換部５０Ｌ及び低音用電気音響変換部３Ｌを保持すると共にリスナの耳介１０１Ｌに引っ掛けるためのバンド部２２４が用いられている。
【００９３】
このバンド部２２４は、下に凸の略アーチ状に形成され、リスナの顎の下を通って左右に渡されることを前提としており、バンド部２２４の途中から前方へ延設された略Ｌ字状でなるアーム２４Ｃの先端に中高音用電気音響変換部２Ｌが取り付けられると共に、バンド部２２４の途中から後方へ延設された略Ｌ字状でなるアーム２２４Ｄの先端に後方中高音用電気音響変換部５０Ｌが取り付けられ、かつリスナの耳介１０１Ｌのやや前側上方に位置するように低音用電気音響変換部３Ｌがバンド部２２４に対して取り付けられた構成を有している。
【００９４】
このイヤースピーカ装置２２０（図７）は、バンド部２２４の耳掛部２４ＢＬがリスナの耳介１０１Ｌに引っ掛けられることにより中高音用電気音響変換部２Ｌ、後方中高音用電気音響変換部５０Ｌ及び低音用電気音響変換部３Ｌをリスナの頭部１００に装着することができ、イヤースピーカ装置２００と同様、自然でかつ一層立体的な音像定位を与えながら充分なレベルの低音を含む良好な再生音を当該リスナに聴取させ得るようになされている。
【００９５】
この場合のイヤースピーカ装置２２０（図７）においても、低音用スピーカユニット８Ｌから放射された主に低音をカバー部１２Ｌ及び管状ダクト９Ｌを介して、直接リスナの外耳道入口１０２Ｌへ到達させることができるため、一般的な据置型スピーカを介して聴取した場合よりも低音の音漏れを低減させ得るようになされている。
【００９６】
さらに図４との対応部分に同一符号を付した図８に示すように、イヤースピーカ装置２３０としては、所謂ショルダーホールド型として構成されており、イヤースピーカ装置２００（図６）におけるバンド部２０４に代えて、中高音用電気音響変換部２Ｌ、後方中高音用電気音響変換部５０Ｌ及び低音用電気音響変換部３Ｌを保持すると共にリスナの肩部から支持するショルダーアーム２３４が用いられている。
【００９７】
このショルダーアーム２３４は、その先端に低音用電気音響変換部３Ｌが取り付けられており、リスナの肩口から垂設された棒状の保持部３４Ｌの途中から前方へ延設された略Ｌ字状でなるアーム３４Ｃの先端に中高音用電気音響変換部２Ｌが取り付けられ、かつ保持部３４Ｌの途中から後方へ延設された略Ｌ字状でなるアーム２３４Ｄの先端に後方中高音用電気音響変換部５０Ｌが取り付けられた構成を有している。また、このショルダーアーム２３４の中央部３４Ａは、後ろに凸の略アーチ状に形成され、リスナの首の後ろから肩の上部に引っ掛けて左右に渡されることを前提としている。
【００９８】
このイヤースピーカ装置２３０（図８）は、リスナの両肩に渡って引っ掛けられることにより中高音用電気音響変換部２Ｌ、後方中高音用電気音響変換部５０Ｌ及び低音用電気音響変換部３Ｌをリスナの頭部１００に装着することができ、イヤースピーカ装置２００と同様、自然でかつ一層立体的な音像定位を与えながら充分なレベルの低音を含む良好な再生音を当該リスナに聴取させ得るようになされている。
【００９９】
さらに図５との対応部分に同一符号を付した図９に示すように、イヤースピーカ装置２４０としては、所謂ネックバンド型として構成されており、イヤースピーカ装置２００（図６）におけるバンド部２０４に代えて、中高音用電気音響変換部２Ｌ、後方中高音用電気音響変換部５０Ｌ及び低音用電気音響変換部３Ｌを保持すると共にリスナの耳介１０１Ｌに掛けるためのバンド部２４４が用いられている。
【０１００】
このバンド部２４４の中央部４４Ａは、後ろに凸の略アーチ状に形成され、リスナの後頭部１００の後ろ側で渡されることを前提としており、バンド部２４４の途中から前方へ延設された略Ｌ字状でなるアーム４４Ｃの先端に中高音用電気音響変換部２Ｌが取り付けられ、かつバンド部２４４の途中から後方へ延設された略Ｌ字状でなるアーム２４４Ｄの先端に後方中高音用電気音響変換部５０Ｌが取り付けられた構成を有している。
【０１０１】
このイヤースピーカ装置２４０（図９）は、バンド部２４４の耳掛部４４ＢＬがリスナの耳介１０１Ｌに引っ掛けられることにより中高音用電気音響変換部２Ｌ、後方中高音用電気音響変換部５０Ｌ及び低音用電気音響変換部３Ｌをリスナの頭部１００に装着することができ、イヤースピーカ装置２００と同様、自然でかつ一層立体的な音像定位を与えながら充分なレベルの低音を含む良好な再生音を当該リスナに聴取させ得るようになされている。
【０１０２】
このように本発明では、イヤースピーカ装置２００のバンド部２０４（図６）以外にも、イヤースピーカ装置２２０〜２４０（図７〜図９）に用いられている種々の方式でなる装着部により、中高音用電気音響変換部２Ｌ、後方中高音用電気音響変換部５０Ｌ及び低音用電気音響変換部３Ｌをリスナの頭部１００に対して装着させるようにしても良い。
【０１０３】
（２−３）第２の実施の形態における動作及び効果
以上の構成において、イヤースピーカ装置２００は、リスナの頭部１００に装着されることにより、中高音用電気音響変換部２Ｌの中高音用筐体部５Ｌに設けられた中高音用スピーカユニット７Ｌを当該リスナの外耳道入口１０２Ｌから前方へ所定距離だけ離れた場所に位置させ、かつ後方中高音用電気音響変換部５０Ｌの後方中高音用筐体部５１Ｌに設けられた後方中高音用スピーカユニット５３Ｌを当該リスナの外耳道入口１０２Ｌから後方へ所定距離だけ離れた場所に位置させると共に、当該リスナの外耳道入口１０２Ｌのやや前側上方に位置する低音用電気音響変換部３Ｌの管状ダクト９Ｌの孔部９ＡＬを外耳道入口１０２Ｌの近傍に位置させた状態で、所定のアンプから供給されるオーディオ信号に基づく再生音を出力する。
【０１０４】
これによりイヤースピーカ装置２００では、リスナの外耳道入口１０２Ｌよりも前方にある中高音用筐体部５Ｌの中高音用スピーカユニット７Ｌから出力する中高音をリスナの頬や耳介１０１Ｌ等で反射させて鼓膜１０３Ｌに到達させると共に、リスナの外耳道入口１０２Ｌよりも後方にある後方中高音用筐体部５１Ｌの後方中高音用スピーカユニット５３Ｌから出力する中高音をリスナの耳介１０１Ｌ等で反射させて鼓膜１０３Ｌに到達させることができるので、一般的なスピーカを介して再生音を聴取する場合と似た特性の中高音を当該リスナに聴取させ、音像が頭外に位置しているような自然でかつ一層立体的な定位感を与えることができる。
【０１０５】
一方、イヤースピーカ装置２００では、低音用筐体部６Ｌの低音用スピーカユニット８Ｌから出力する低音を、管状ダクト９Ｌを介して外耳道入口１０２Ｌへ直接到達させることができるので、リスナの耳介１０１Ｌを密閉してしまうことなく開放した状態のまま、充分なレベルの低音を聴取させることができる。
【０１０６】
またイヤースピーカ装置２００は、低音の再生音量を上げるのではなく、低音の放射口である管状ダクト９Ｌの孔部９ＡＬを外耳道入口１０２Ｌに近づけることにより、リスナの外耳道入口１０２Ｌに充分な低音を到達させているため、例えば大口径のスピーカやサブウーファー等を用いて低音を再生するような場合と比較して、周囲に漏れる低音や振動をほぼ皆無にすることができる。
【０１０７】
従って、例えばリスナが深夜にイヤースピーカ装置２００を介して再生音を聴取する場合等に、近隣や周囲への迷惑を殆ど気にすることなく、充分な低音が含まれる良好な再生音を堪能することができる。
【０１０８】
また、この管状ダクト９Ｌは、先端がＵ字状に形成されており、リスナの外耳道入口１０２Ｌを塞ぐことがないため、再生音と共に、当該リスナの周囲で発生した周囲音を遮断することなく鼓膜１０３Ｌに到達させて聴取させることができる。
【０１０９】
これによりイヤースピーカ装置２００では、リスナが歩行するときやスポーツを行うときなど、リスナが周囲音を聴取する必要がある場合にも、良好な再生音に加えて確実に周囲音を聴取させることができる。
【０１１０】
またイヤースピーカ装置２００は、従来の密閉型ヘッドホンのように、リスナの耳介１０１Ｌ等を中高音用電気音響変換部２Ｌの中高音用筐体部５Ｌや、後方中高音用電気音響変換部５０Ｌの後方中高音用筐体部５１Ｌによって覆ってしまうことがないため、密閉型ヘッドホンを装着したリスナが感じるような閉塞感や蒸れといった不快感を与えることがない。さらにイヤースピーカ装置２００では、密閉空間を形成しないため、密閉型ヘッドホンを使用した場合に生じ得る、外耳道における共振周波数の変化を生じることもなく、リスナに違和感を与えることもない。
【０１１１】
そのうえイヤースピーカ装置２００は、低音の放射口である管状ダクト９Ｌの孔部９ＡＬを鼓膜１０３Ｌに近づけることによりリスナに十分な音量レベルの低音を聴取させ得るため、低音用スピーカユニット８Ｌの口径を不必要に大きくする必要が無く、低音用筐体部６Ｌの大きさを必要最小限に止めることができる。これによりイヤースピーカ装置２００では、全体の大きさや重量を必要最小限に抑えることができるので、リスナがイヤースピーカ装置２００を装着した際の大きさや重さによる煩わしさを極力抑えることができる。
【０１１２】
さらにイヤースピーカ装置２００は、頭部１００の頂上近傍にバンド部２０４の中央部４Ａを配置し、中高音用電気音響変換部２Ｌ、後方中高音用電気音響変換部５０Ｌ及び低音用電気音響変換部３Ｌを３方向に振り分けて配置したことにより、中高音用電気音響変換部２Ｌ、後方中高音用電気音響変換部５０Ｌ及び低音用電気音響変換部３Ｌによる重量バランスを最適に釣り合わせることができ、かくして頭部１００の装着時における安定性を更に向上させると共に、装着感を一層向上させることが出来る。
【０１１３】
以上の構成によれば、イヤースピーカ装置２００は、リスナの頭部１００に装着された際、中高音用電気音響変換部２Ｌの中高音用スピーカユニット７Ｌを当該リスナの外耳道入口１０２Ｌよりもやや前方の所定距離だけ離れた場所に位置させると共に、後方中高音用電気音響変換部５０Ｌの後方中高音用スピーカユニット５３Ｌをリスナの外耳道入口１０２Ｌよりも後方の所定距離だけ離れた場所に位置させ、かつ低音用電気音響変換部３Ｌの管状ダクト９Ｌの孔部９ＡＬを外耳道入口１０２Ｌの近傍に位置させた状態で再生音を出力することにより、装着時の安定性を持たせながら、自然でかつ一層立体的な音像定位を与え、かつ高品質な再生音をリスナに聴取させることができる。
【０１１４】
（３）他の実施の形態
なお上述した第１及び第２の実施の形態においては、低音用電気音響変換部３Ｌの管状ダクト９Ｌが側面略Ｕ字状の２本構造として形成されるようにした場合について述べたが、本発明はこれに限らず、当該管状ダクト９Ｌを１本や３本以上の管状ダクトによって構成するようにしても良い。
【０１１５】
例えば図１０に示すように、低音用電気音響変換部３Ｌにおいては、低音用筐体部６Ｌから１本の管状ダクト５８Ｌが下方へ延長されるようにしても良く、さらに当該管状ダクト５８Ｌの先端部にリスナの外耳道入口１０２Ｌを傷つけないための保護部５９Ｌが取り付けられていても良い。この場合、保護部５９Ｌは、音を通しやすいスポンジ状の部材等で構成されることにより、周囲音を遮断せずリスナに聴取させることができる。
【０１１６】
また第１及び第２の実施の形態においては、金属等の固い材料で形成された管状ダクト９Ｌを用いるようにした場合について述べたが、本発明はこれに限らず、可撓性を有する樹脂等の柔らかい材料で形成された管状ダクト９Ｌを用いるようにしても良い。
【０１１７】
さらに第１及び第２の実施の形態においては、管状ダクト９Ｌが低音用筐体部６Ｌのカバー部１２Ｌにおける表面の端部を貫通するように設けられた場合について述べたが、本発明はこれに限らず、当該管状ダクト９Ｌが当該カバー部１２Ｌにおける表面の他の箇所を貫通するよう設けられていても良い。
【０１１８】
さらに第１及び第２の実施の形態においては、イヤースピーカ装置１及びイヤースピーカ装置２００がリスナの頭部１００（図１及び図６）に装着された際、中高音用筐体部５Ｌの中高音用スピーカユニット７Ｌの放音面がほぼ後方向を向くようにした場合について述べたが、本発明はこれに限らず、例えば中高音用スピーカユニット７Ｌの放音面がやや内側を向くようにしても良く、要は当該中高音用スピーカユニット７Ｌの放音面がおおよそ外耳道入口１０２Ｌの方向に向き、放射する中高音が効率良く外耳道入口１０２Ｌへ到達されれば良い。
【０１１９】
さらに第２の実施の形態においては、イヤースピーカ装置２００がリスナの頭部１００（図６）に装着された際、後方中高音用筐体部５１Ｌの後方中高音用スピーカユニット５３Ｌの放音面がほぼ前方向を向くようにした場合について述べたが、本発明はこれに限らず、例えば後方中高音用スピーカユニット５１Ｌの放音面がやや内側を向くようにしても良く、要は当該後方中高音用スピーカユニット５１Ｌの放音面がおおよそ耳階１０１の外耳道入口１０２Ｌの方向へ向き、放射する中高音が効率良く外耳道入口１０２Ｌへ到達されれば良い。
【０１２０】
さらに第１の実施の形態においては、イヤースピーカ装置１がリスナの左側だけで中高音用電気音響変換部２Ｌ及び低音用電気音響変換部３Ｌを有し、リスナの右側についても中高音用電気音響変換部２Ｒ（図示せず）及び低音用電気音響変換部３Ｒ（図示せず）を有することにより左右で２．２チャンネルの再生音を出力するようにした場合について述べたが、本発明はこれに限らず、例えば左側の中高音用電気音響変換部２Ｌ及び低音用電気音響変換部３Ｌのみを有し、１．１チャンネルの再生音を出力するようにしても良い。
【０１２１】
さらに第２の実施の形態においては、イヤースピーカ装置２００がリスナの左側だけで中高音用電気音響変換部２Ｌ、後方中高音用電気音響変換部５０Ｌ及び低音用電気音響変換部３Ｌを有し、リスナの右側についても中高音用電気音響変換部２Ｒ（図示せず）、後方中高音用電気音響変換部５０Ｒ（図示せず）及び低音用電気音響変換部３Ｒ（図示せず）を有することにより左右で４．２チャンネルの再生音を出力するようにした場合について述べたが、本発明はこれに限らず、例えば左側の中高音用電気音響変換部２Ｌ、後方中高音用電気音響変換部５０Ｌ及び低音用電気音響変換部３Ｌのみを有し、２．１チャンネルの再生音を出力するようにしても良い。
【０１２２】
さらに第１及び第２の実施の形態においては、中高音用筐体部５Ｌに中高音用スピーカユニット７Ｌを設け、後方中高音筐体部５１Ｌに後方中高音用スピーカユニット５３Ｌを設けるようにした場合について述べたが、本発明はこれに限らず、例えば中音用及び高音用といった２つのスピーカユニットを１つの中高音用筐体部５Ｌ及び後方中高音用筐体部５１Ｌに設けて２ウェイスピーカとするなど、複数のスピーカユニットを中高音用筐体部５Ｌ及び後方中高音用筐体部５１Ｌに設けるようにしても良い。
【０１２３】
さらに第１及び第２の実施の形態においては、球体を垂直方向に２等分したような形状でなる中高音用筐体部５Ｌ及び後方中高音用筐体部５１Ｌを用いるようにした場合について述べたが、本発明はこれに限らず、例えば立方体状や円柱状等の種々の形状であっても良く、要はスピーカのエンクロージャとして機能し得るようなほぼ密閉された空間を内部に有していれば良い。
【０１２４】
さらに第１及び第２の実施の形態においては、管状ダクト９Ｌ（図２）の内端部９ＢＬ１及び９ＢＬ２の端部にエッジが残された状態のカバー部１２Ｌを用いるようにした場合について述べたが、本発明はこれに限らず、管状ダクト９Ｌの内端部９ＢＬ１及び９ＢＬ２の端部に対してＲ状の丸みが形成されたカバー部１２Ｌを用いるようにしても良い。この場合、カバー部１２Ｌでは、低音用スピーカユニット８Ｌの前面から押し出される空気がエッジに当って風切り音を発生するようなことがなく、ノイズのない低音だけを管状ダクト９Ｌの孔部９ＡＬから放射することができる。
【０１２５】
さらに第１及び第２の実施の形態においては、孔部９ＡＬから内端部９ＢＬ１（図２）までのダクト長と、孔部９ＡＬから内端部９ＢＬ２（図２）までがそれぞれ同じ長さに設定された管状ダクト９Ｌを用いるようにした場合について述べたが、本発明はこれに限らず、それぞれ異なる長さのダクト長に設定された管状ダクトを用いるようにしても良い。
【０１２６】
例えば、孔部９ＡＬから内端部９ＢＬ１までの長さと、孔部９ＡＬから内端部９ＢＬ２までの長さとが異なる管状ダクトが設けられた低音用筐体部６Ｌでは、長さが異なる２つのダクト部分により相互に共振特性の位相ずれが生じ、その結果、孔部９ＡＬから僅かに出力される中高域の周波数成分についても相互に相殺し、管状ダクトの孔部９ＡＬから中高音が打ち消された低音だけを放射し得るようになされている。
【０１２７】
さらに第１及び第２の実施の形態においては、半球形状のカバー部１２Ｌを用いるようにした場合について述べたが、本発明はこれに限らず、例えば四角錐や三角錐等の形状であっても良く、要は低音用スピーカユニット８Ｌから出力された低音を集め、かつ外部に漏れない構造であれば良い。
【０１２８】
さらに第１及び第２の実施の形態においては、低音用スピーカユニット８Ｌの後方を閉塞した構造の半球状部１１Ｌが設けられた低音用筐体部６Ｌを用いるようにした場合について述べたが、本発明はこれに限らず、図１１に示すように、低音用スピーカユニット８Ｌの後方に貫通孔３０５〜３０８が形成されると共に、その貫通孔３０５〜３０８を内側から塞ぐようなスポンジ等でなる音響抵抗体３０９が取り付けられた半球状部３１１Ｌを有する低音用筐体部３０３Ｌを用いるようにしても良い。
【０１２９】
この場合の低音用筐体部３０３Ｌ（図１１）では、低音用スピーカユニット８Ｌの後方側が貫通孔３０５〜３０８によって開放されたことによって当該低音用スピーカユニット８Ｌの振動板がオーディオ信号に対して追従し易くなると共に、貫通孔３０５〜３０８が形成されたことによる音質の低下を音響抵抗体３０９によって防ぐことができるので、高音質な低音を管状ダクト９Ｌの孔部９ＡＬから放射することができる。
【０１３０】
因みに、低音用筐体部３０３Ｌ（図１１）では、音響抵抗体３０９が必ずしもなければならない訳ではなく、必要に応じて音響抵抗体３０９を取り付け、またその長さ及び厚さを変更したものを取り付けることにより音質を調整することが可能である。
【０１３１】
さらに第１及び第２の実施の形態においては、低音用スピーカユニット８Ｌの後方を閉塞した構造の半球状部１１Ｌが設けられた低音用筐体部６Ｌを用いるようにした場合について述べたが、本発明はこれに限らず、図１２に示すように、低音用スピーカユニット８Ｌの前方にあるカバー部４１０Ｌに貫通孔４０５〜４０７が形成されると共に、その貫通孔４０５〜４０７を内側から塞ぐようなスポンジ等でなる音響抵抗体４０８及び４０９が取り付けられた低音用筐体部４１１Ｌを用いるようにしても良い。
【０１３２】
この場合の低音用筐体部４１１Ｌ（図１２）では、低音用スピーカユニット８Ｌの前面側が貫通孔４０５〜４０７によって開放されたことによって当該低音用スピーカユニット８Ｌの振動板がオーディオ信号に対して追従し易くなると共に、貫通孔４０５〜４０７が形成されたことによる音質の低下を音響抵抗体４０８及び４０９によって防ぐことができるので、高音質な低音を管状ダクト９Ｌの孔部９ＡＬから放射することができる。
【０１３３】
因みに、低音用筐体部４１１Ｌ（図１２）においても、音響抵抗体４０８及び４０９が必ずしもなければならない訳ではなく、必要に応じて音響抵抗体４０８及び４０９を取り付け、またその長さ及び厚さを変更したものを取り付けることにより音質を調整することが可能である。
【０１３４】
さらに第１及び第２の実施の形態においては、カバー部１２Ｌの表面に管状ダクト９Ｌが設けられた低音用筐体部６Ｌを用いるようにした場合について述べたが、本発明はこれに限らず、図１３に示すように半球状部１１Ｌのバッフル板１３Ｌに対して管状ダクト９Ｌが設けられた低音用筐体部５１１Ｌを用いるようにしても良い。
【０１３５】
この場合、低音用筐体部５１１Ｌ（図１３）は、低音用スピーカユニット８Ｌの後方に発生した所定周波数帯域の低音だけを管状ダクト９Ｌの孔部９ＡＬを介して放射させることができる。
【０１３６】
さらに第１及び第２の実施の形態においては、カバー部１２Ｌの表面に管状ダクト９Ｌが設けられた低音用筐体部６Ｌを用いるようにした場合について述べたが、本発明はこれに限らず、図１４に示すように半球状部５２２Ｌの表面に管状ダクト５０９Ｌが一体に設けられた低音用筐体部５２１Ｌを用いるようにしても良い。
【０１３７】
この場合も低音用筐体部５２１Ｌ（図１４）は、所謂ケルトン型のスピーカ装置と同様の構造を有することになり、低音用スピーカユニット８Ｌの後方から所定の周波数帯域の低音だけを、管状ダクト５０９Ｌの孔部５０９ＡＬを介して放射させることができる。
【０１３８】
さらに第１及び第２の実施の形態においては、低音用筐体部６Ｌに対して管状ダクト９Ｌが一体に取り付けられているようにした場合について述べたが、本発明はこれに限らず、図１５に示すように、カバー部５２８Ｌに形成された勘合部５２５ＬＢＳと、管状ダクト５２９Ｌの一方に形成された保持部５２９ＬＳとを相互に勘合することにより、当該管状ダクト５２９Ｌがカバー部５２８Ｌに対して着脱自在に設けられた構成の低音用筐体部５３１Ｌを用いるようにしても良い。
【０１３９】
これにより低音用筐体部５３１Ｌでは、リスナにとって必要なときにのみ管状ダクト５２９Ｌが取り付けられた状態で使用され、リスナにとって不必要なときには管状ダクト５２９Ｌが取り外された状態で使用されるようになるため、リスナの使い勝手を大幅に向上させることができる。
【０１４０】
さらに第１及び第２の実施の形態においては、カバー部１２Ｌの内側であって、管状ダクト９Ｌの内端部９ＢＬ１及び９ＢＬ２にエッジが残った状態の低音用筐体部６（図２）を用いるようにした場合について述べたが、本発明はこれに限らず、図１６に示すようにカバー部５５８Ｌの内側であって、当該カバー部５５８Ｌと一体に設けられた管状ダクト５６９Ｌの付け根部分にＲ状のラウンド部５７０が形成された低音用筐体部５５１Ｌを用いるようにしても良い。
【０１４１】
この低音用筐体部５５１Ｌでは、低音用スピーカユニット８Ｌの前面側から押し出される空気がエッジに当って風切り音を発生するようなことがなく、高音質な低音だけを管状ダクト５６９Ｌの孔部５６９ＡＬから放射することができる。
【０１４２】
さらに第１及び第２の実施の形態においては、耳介１０１の前側上方に低音用電気音響変換部３Ｌを配置するようにした場合について述べたが、本発明はこれに限らず、図１７に示すように、バンド部４の中央部４Ａに対して半球形状でなる低音用電気音響変換部７００を取り付けるようにしてもよい。
【０１４３】
この場合、イヤースピーカ装置８００（図１７）では、リスナの頭部１００の頂上に配置された低音用電気音響変換部７００からオーディオ信号の低音成分に応じた低音を放射することができるので、左右の中高音用電気音響変換部２Ｌ、２Ｒ、後方中高音電気音響変換部５０Ｌ、５０Ｒ及び低音用電気音響変換部７００による４．１ｃｈのヘッドホンを実現することができる。
【０１４４】
さらに第１及び第２の実施の形態においては、カバー部１２Ｌの表面に管状ダクト９Ｌが一体化した状態で形成された低音用筐体部６Ｌを用いるようにした場合について述べたが、本発明はこれに限らず、カバー部１２Ｌと管状ダクト９Ｌとを区別することなく、低音用スピーカユニット８Ｌの前面側を包み込むような形状で先端に行くに連れて細い管状に形成された管状ダクトがバッフル板１３Ｌに取り付けられた構造の低音用筐体部を用いるようにしても良い。
【０１４５】
さらに第１及び第２の実施の形態においては、第１筐体部としての中高音用電気音響変換部２Ｌ、５０Ｌと、中高音用スピーカユニットとしての中高音用スピーカユニット７Ｌ、後方中高音用スピーカユニット５３Ｌと、装着部としてのバンド部４、２０４と、第２筐体部としての低音用電気音響変換部３Ｌと、低音用スピーカユニットとしての低音用スピーカユニット８Ｌとによってイヤースピーカ装置としてのイヤースピーカ装置１、２００を構成するようにした場合について述べたが、本発明はこれに限らず、その他種々の構成でなる第１筐体部と、中高音用スピーカユニットと、装着部と、第２筐体部と、低音用スピーカユニットとによってイヤースピーカ装置を構成するようにしても良い。
【産業上の利用可能性】
【０１４６】
本発明は、ケルトン型のスピーカ以外にも、その他、種々のダクトを有するスピーカ装置をリスナの頭部に装着させるイヤースピーカ装置に利用することができる。
【図面の簡単な説明】
【０１４７】
【図１】第１の実施の形態におけるイヤースピーカ装置（２．２ｃｈ）の構成を示す略線的側面図である。
【図２】第１の実施の形態における低音用電気音響変換部を示す略線的断面図である。
【図３】第１の実施の形態におけるイヤースピーカ装置の構成及び装着の例（１）を示す略線的側面図である。
【図４】第１の実施の形態におけるイヤースピーカ装置の構成及び装着の例（２）を示す略線的側面図である。
【図５】第１の実施の形態におけるイヤースピーカ装置の構成及び装着の例（３）を示す略線的側面図である。
【図６】第２の実施の形態におけるイヤースピーカ装置（４．２ｃｈ）の構成を示す略線的側面図である。
【図７】第２の実施の形態におけるイヤースピーカ装置の構成及び装着の例（１）を示す略線的側面図である。
【図８】第２の実施の形態におけるイヤースピーカ装置の構成及び装着の例（２）を示す略線的側面図である。
【図９】第２の実施の形態におけるイヤースピーカ装置の構成及び装着の例（３）を示す略線的側面図である。
【図１０】他の実施の形態における管状ダクトの構成例を示す略線図である。
【図１１】他の実施の形態における低音用筐体部の構造（１）を示す略線的断面図である。
【図１２】他の実施の形態における低音用筐体部の構造（２）を示す略線的断面図である。
【図１３】他の実施の形態における低音用筐体部の構造（３）を示す略線的断面図である。
【図１４】他の実施の形態における低音用筐体部の構造（４）を示す略線的断面図である。
【図１５】他の実施の形態における低音用筐体部の構造（５）を示す略線的断面図である。
【図１６】他の実施の形態における低音用筐体部の構造（６）を示す略線的断面図である。
【図１７】他の実施の形態におけるイヤースピーカ装置（４．１ｃｈ）の構成を示す略線的側面図である。
【符号の説明】
【０１４８】
１、２０、３０、４０、２００、２２０、２３０、２４０、８００……イヤースピーカ装置、２Ｌ、２Ｒ……中高音用電気音響変換部、３Ｌ……低音用電気音響変換部、５０Ｌ……後方中高音用電気音響変換部、４、２４、４４、２０４、２２４、２４４……バンド部、５Ｌ……中高音用筐体部、６Ｌ……中高音用筐体部、７Ｌ……中高音用スピーカユニット、８Ｌ……低音用スピーカユニット、９Ｌ……管状ダクト、９ＡＬ……孔部、１１Ｌ……半球状部、１２Ｌ……カバー部、１３Ｌ……バッフル板、５１Ｌ……後方中高音用筐体部、５３Ｌ……後方中高音用スピーカユニット、１００……頭部、１０１Ｌ……耳介、１０２Ｌ……外耳道入口、１０３Ｌ……鼓膜。
【図１】
2008141691.tif 000003
【図２】
2008141691.tif 000004
【図３】
2008141691.tif 000005
【図４】
2008141691.tif 000006
【図５】
2008141691.tif 000007
【図６】
2008141691.tif 000008
【図７】
2008141691.tif 000009
【図８】
2008141691.tif 000010
【図９】
2008141691.tif 000011
【図１０】
2008141691.tif 000012
【図１１】
2008141691.tif 000013
【図１２】
2008141691.tif 000014
【図１３】
2008141691.tif 000015
【図１４】
2008141691.tif 000016
【図１５】
2008141691.tif 000017
【図１６】
2008141691.tif 000018
【図１７】
2008141691.tif 000019